(57)【要約】【課題】樹脂封止工程の際に、樹脂バリの発生を抑制する樹脂封止装置及び半導体装置の製造方法を提供することを目的とする。【解決手段】上金型２と下金型３との当接面には半導体チップが配置されるキャビティ４が形成されている。また、樹脂を投入するポット７とキャビティ４、各キャビティ４間はゲート９やランナ１０によって連通している。上金型２または下金型３を貫通し、ポット７，キャビティ４，ゲート９，ランナ１０を含む樹脂が流れる領域（樹脂流路）とは直接連通しない箇所で金型外部から当接面に至る貫通孔１１を設ける。【選択図】図１
2007305859.tif 000002
【特許請求の範囲】
【請求項１】
上型と下型と、樹脂を投入するポットとを備え、
前記ポットと連通し、前記上型と前記下型との当接面に形成されたキャビティ内に前記樹脂を充填させることで前記キャビティに配置する半導体チップを樹脂封止する樹脂封止装置であって、
前記上型及び前記下型の少なくともいずれか一方に、前記キャビティを含めた樹脂流路と直接的に連通せずに、前記当接面を外部に露出させる貫通孔を備えることを特徴とする樹脂封止装置。
【請求項２】
前記貫通孔が設けられた側の型の当接面のうち、前記樹脂流路が形成されていない領域に凹状の段差部が設けられ、前記段差部と前記貫通孔とが連結していることを特徴とする請求項１に記載の樹脂封止装置。
【請求項３】
請求項１または請求項２に記載の樹脂封止装置を用いて半導体チップを封止する工程を有する半導体装置の製造方法であって、
半導体チップを前記上型と前記下型とで挟むことによって前記キャビティ内に前記半導体チップを配置する工程と、
前記ポットから樹脂を投入し、前記キャビティを含めた樹脂流路に前記樹脂を充填及び硬化させて前記半導体チップを封止する工程とを有し、
前記貫通孔を介して前記樹脂流路内の気体を外部に排気することを特徴とする半導体装置の製造方法。
【請求項４】
真空ポンプを作動させることで前記樹脂流路の空間を減圧する工程を有することを特徴とする請求項３に記載の半導体装置の製造方法。
【請求項５】
前記樹脂経路の空間を減圧する工程の後に、前記真空ポンプの動作を解除し、その後樹脂が硬化されるまでその状態を保持する工程を有することを特徴とする請求項４に記載の半導体装置の製造方法。
【請求項６】
前記樹脂は透明樹脂であることを特徴とする請求項３乃至請求項５のいずれかに記載の半導体装置の製造方法。
【請求項７】
前記上型と前記下型とを完全に型締めする直前で当該型締め動作を一旦停止し、封止部材で前記上型と前記下型との当接面の空間を密閉し、続いて前記真空ポンプを作動させることで前記当接面の空間を減圧する工程を開始し、その後前記上型と前記下型とを型締めする工程を有することを特徴とする請求項４乃至請求項６のいずれかに記載の半導体装置の製造方法。
【発明の詳細な説明】
【技術分野】
【０００１】
本発明は、樹脂封止装置及び半導体装置の製造方法に関し、特に半導体チップを樹脂封止する技術に関するものである。
【背景技術】
【０００２】
半導体チップの封入法の一つとして、金型を用いて半導体チップを樹脂（例えば、エポキシ樹脂）で封止する方法が知られている。この方法は、半導体チップが搭載されたリードフレームを金型にセットし、ポットに投入した樹脂タブレットをプランジャで押し出し、流動化した樹脂を金型のキャビティ空間に導くことで整形する方法である。尚、以下に示す金型は一例であり、他にも色々なタイプが存在する。
【０００３】
半導体チップを樹脂封止する従来の樹脂封止装置１００について図面を参照しながら説明する。図４は封止工程が行われている際の封止装置１００の構成の概略を示す断面図であり、図５は樹脂封止装置１００の上金型１０１を下金型１０２との当接面側から見た平面図である。なお、図４は、図５の上金型１０１が下金型１０２と当接した状態でのＸ―Ｘ線の断面図である。
【０００４】
図４に示すように、樹脂封止装置１００は、上金型１０１と下金型１０２とを備えている。そして、上金型１０１と下金型１０２との当接面には被封止体としての半導体チップが配置される空間（キャビティ１０３）が複数設けられている。また、下金型１０１には上下機構を有するプランジャー１０４で押圧される樹脂タブレット１０５を収容するポット１０６が設けられている。また、上金型１０１にはポット１０６に対応する位置にカル１０７が、ポット１０６とキャビティ１０３との間に対応する位置にゲート１０８が、各キャビティ１０３の間に対応する位置にはランナ１０９がそれぞれ形成されている。
【０００５】
また、ポット１０６からキャビティ１０３へと樹脂が導かれる際に、ゲート１０８，キャビティ１０３，ランナ１０９の空気を外部に排気するためのエアベント１１０が上金型１０１であって、キャビティ１０３と連通して設けられている。
【０００６】
また、上金型１０１と下金型１０２との当接面の外周には、当接面の空間を密閉するためのシール部材として例えばゴムから成るパッキン１１１が環状に形成されている。また、各ポット１０６はポット連結路１１２で連結されている。
【０００７】
上述した樹脂封止装置及びこれを用いた半導体装置の製造方法は、例えば以下の特許文献に記載されている。
【特許文献１】特開２０００−３１１８０号公報
【特許文献２】特開平１０−１４４７１３号公報
【発明の開示】
【発明が解決しようとする課題】
【０００８】
しかしながら、上述した従来の樹脂封止装置１００を用いて封止工程を行った場合、エアベント１１０に樹脂バリが発生することがあった。樹脂バリとは、キャビティ１０３を通過し、エアベント１１０側に押し出された余剰樹脂である。
【０００９】
これにより、エアベントが詰まるためキャビティ内の脱気が低下し未充填不良等の問題が発生すること、樹脂バリの除去工程が必要になること、外観検査の負担が増大すること、樹脂バリが飛散することによって次の封止工程の際に混入されてしまい所望の動作特性をもった装置が得られないこと、歩留まりの低下といった問題が生じていた。
【００１０】
また、受光素子等の封止に用いられる透明樹脂は、一般的な黒樹脂に比して樹脂バリの問題が顕著であり、この問題を解決する樹脂封止装置及びそれを用いた半導体装置の製造方法については十分な検討がなされていなかった。
【００１１】
黒樹脂に比して透明樹脂に樹脂バリの問題が生じる理由の一つは、透明樹脂は黒樹脂のようにフィラーが混合されておらず、高い流動性をもっているためと考えられる。具体的には例えば、一般的な黒樹脂が１８０℃で９８ｃｍ程度流れて固まるのに対して、透明樹脂は１５０℃で１４０ｃｍ流れて固まる。従って、透明樹脂のような高い流動性の樹脂封止を良好に行うことが可能な樹脂封止装置や当該装置を用いた製法が望まれていた。なお、ここでいうフィラーとは、樹脂に加えることによって、Ｓｉチップと樹脂との熱膨張係数をできるだけ一致させ、チップに加わる応力を緩和させるものである。当然Ｓｉの粉体が混ざっているため、その粘度が高くなる。一方、光ＩＣ等に用いられる樹脂は、光に対して透明である必要があり、光がフィラーで乱反射すると所望の動作特性が得られない。このような理由から透明樹脂にはフィラーを混入しない。
【００１２】
そこで本発明は樹脂バリの発生を抑制し、封止後の装置の信頼性及び歩留まりの向上を図ることを主たる目的とする。また、透明樹脂のような高い流動性の樹脂を用いた封止に好適な樹脂封止装置及び当該装置を用いた半導体装置の製造方法を提供することを目的とする。
【課題を解決するための手段】
【００１３】
本発明は上記課題に鑑みてなされたものであり主な特徴は以下のとおりである。すなわち、本発明の樹脂封止装置は、上型と下型と、樹脂を投入するポットとを備え、前記ポットと連通し、前記上型と前記下型との当接面に形成されたキャビティ内に前記樹脂を充填させることで前記キャビティに配置する半導体チップを樹脂封止する樹脂封止装置であって、前記上型及び前記下型の少なくともいずれか一方に、前記キャビティを含めた樹脂流路と直接的に連通せずに、前記当接面を外部に露出させる貫通孔を備えることを特徴とする。
【００１４】
また、本発明の半導体装置は、前記貫通孔が設けられた側の型の当接面のうち、前記樹脂流路が形成されていない領域に凹状の段差部が設けられ、前記段差部と前記貫通孔とが連結していることを特徴とする。
【００１５】
また、本発明の半導体装置の製造方法の主な特徴は以下のとおりである。すなわち、本発明の半導体装置の製造方法は、前記樹脂封止装置を用いて半導体チップを封止する工程を有する半導体装置の製造方法であって、半導体チップを前記上型と前記下型とで挟むことによって前記キャビティ内に前記半導体チップを配置する工程と、前記ポットから樹脂を投入し、前記キャビティを含めた樹脂流路に前記樹脂を充填及び硬化させて前記半導体チップを封止する工程とを有し、前記貫通孔を介して前記樹脂流路内の気体を外部に排気することを特徴とする。
【００１６】
また、本発明の半導体装置の製造方法は、真空ポンプを作動させることで前記樹脂流路の空間を減圧する工程を有することを特徴とする。また、前記樹脂経路の空間を減圧する工程の後に、前記真空ポンプの動作を解除し、その後樹脂が硬化されるまでその状態を保持する工程を有することを特徴とする。さらにまた、前記樹脂が透明樹脂であることを特徴とする。
【発明の効果】
【００１７】
本発明の樹脂封止装置では、キャビティを含め樹脂が流動する経路（以下、樹脂流路と称する）を除く領域に脱気用の貫通孔が形成されている。つまり、当該貫通孔は樹脂流路とは直接的に連通されていない。そのため、樹脂バリの発生を抑制できる。また、当該貫通孔を介して樹脂流路の脱気を行うことができるため、ボイド不良の発生，未充填不良の発生を防止することができる。
【発明を実施するための最良の形態】
【００１８】
次に、本発明の実施形態について図面を参照しながら説明する。図１は封止工程が行われている際の樹脂封止装置１の構成の概略を示す断面図である。図２は樹脂封止装置１の上金型２を下金型３との当接面側から見た平面図である。なお、図１は、図２の上金型２が下金型３と当接した状態でのＹ―Ｙ線の断面図である。
【００１９】
図１に示すように、本実施形態の樹脂封止装置１は、上金型２と下金型３とを備えている。そして、上金型２と下金型３との当接面の所定位置は凹形状に加工されており、互いの凹部が向き合うことでキャビティ４が設けられている。キャビティ４には被封止体が配置される。この被封止体は、色々なタイプがある。
【００２０】
例えば、リードフレーム，フレキシブルシート，セラミック基板，金属基板，プリント基板またＩＳＢと呼ぶ電極がフレーム無しに封止されたもの等の公知の構造である。
【００２１】
リードフレームは、中央に少なくとも一つのチップが設けられるアイランドと、前記アイランドの周囲に近接して、一端があるインナーリードと、他端がインナーリードと一体で封止体の外に延在されるアウターリードとがあり、これらを支持するように、インナーリードとアウターリードの間、アウターリードの外に一体で連結状体が配置され、またアイランドは、連結状体と一体で支持され、全体が一体で支持されたものである。そしてアイランドにはチップが実装され、チップとインナーリードが電気的に接続されているものである。このチップの設けられたリードフレームが前記キャビティーの中に載置される。
【００２２】
続いて支持基板としてフレキシブルシート、セラミック基板、金属基板またはプリント基板（単層でも多層でも良い）を用いたものについて説明する。やはりチップが載置されるアイランドがあり、アイランドの周りにリードが設けられたものである。リードフレームと異なり支持基板があるため、リードおよびアイランドは、連結状体、吊りリードは不要である。また基板の裏面に外部電極が設けられるタイプが多いが、金属基板の場合、裏面に電極を設けるのが難しいため、基板の周囲にリード固着用のパッドが設けられる場合もある。これら支持基板を用いるタイプは、１チップが載置されるもの、複数のチップが、縦方向に三次元に、または横方向にプレーン型で載せられるもの、更には受動素子と半導体チップが載せられ、システムインパッケージとして成るものがある。また場合によって、支持基板の上に１層の電極が設けられるものや、この支持基板を取り除いて前記電極だけを樹脂の中に留めるものもある。
【００２３】
更にＩＳＢは、Ｃｕ箔板をハーフエッチングして、アイランドやリード電極を突状に配置し、その上にチップが電気的に接続されて配置されたものである。このタイプも、１チップが載置されるもの、複数のチップが、縦方向に三次元に、または横方向にプレーン型で載せられるもの、更には受動素子と半導体チップがのせられ、システムインパッケージとして成るものがある。そしてこれから述べる封止をした後、前記Ｃｕ箔板の裏面を取り除いてアイランドやリードを分離するものである。
【００２４】
更に上金型２と下金型３のキャビティ４の形状であるが、どちらか一方がフラットでも良い。
【００２５】
また、下金型３には上下機構を有するプランジャー５で押圧される樹脂タブレット６を収容するポット７が設けられている。なお、設計に応じて上金型２にポット７を設ける場合もある。
【００２６】
上金型２には、ポット７に対応する位置にカル８が、ポット７とキャビティ４との間に対応する位置にはゲート９やランナーが、各キャビティ４の間に対応する位置にはランナ１０がそれぞれ凹状に形成されている。このように、キャビティ４，ポット７，ゲート９，及びランナ１０は樹脂流路として連通している。
【００２７】
また、上金型２には、当該上金型２を貫通し、下金型３との当接面を露出させる貫通孔１１が形成されている。当該貫通孔１１は、図２に示すようにキャビティ４，カル８，ゲート９，ランナ１０を含む樹脂流路とは直接的に連通せずに上金型２の外部に通じている。貫通孔１１の開口の直径は例えば約４ｍｍである。ただし、後述するように当接面の極僅かな隙間を介して、貫通孔１１は間接的には樹脂流路と連通していると考えられる。ここでいう、極僅かな隙間とは上金型２と下金型３とが見かけ上は完全に型締めされたとしても樹脂流路以外の当接面に生じる僅かな隙間である。その厚みは樹脂が流れることはできないが気体は移動できる程度である。これは、論理的には、上下金型の当接面がフラットであれば、その隙間は全くなく、流動性のあるものは絶対に入り込まないが、実際は樹脂が流れることはできないが気体は移動できる程度の隙間が存在していると考えられる。
【００２８】
なお、貫通孔１１による脱気特性を向上させる観点から、樹脂流路の近傍に貫通孔１１を複数配置することが好ましい。また、同じく脱気特性を向上させる観点から、図２に示すように樹脂流路の近傍の上金型２の当接面側に凹形状のへこみ（段差部２０）を設け、当該段差部２０の底部と貫通孔１１を連結させてもよい。段差部２０の深さは例えば２ｃｍ程度である。
【００２９】
ここで図２で説明すると、中央上の貫通孔１１は、カル８と２本のゲート９との間に配置されている。また左右に一列で設けられた貫通孔１１は、マトリックス状に配置されたキャビティ４の周囲、ここでは４側辺あるが、その対向する２側辺に設けられている。更には、２つのカル８の間に設けられている。また、場合によっては図２のａに示すようにキャビティ列４、４、４・・・とキャビティ列４、４、４・・・の間に配置されても良い。キャビティ列４、４、４・・・とキャビティ列４、４、４・・・の間の間隔が短い場合（例えば、約２ｍｍ）には、貫通孔が約４ｍｍであるとすると、更にこの間には、サポートピラー，インデックスマークのピン等が配置されるため、貫通孔１１を当該部位に配置する事は困難であるが、本来であればキャビティ４を含め樹脂流路の近くに設けたほうが良いので、可能であれば配置したほうが良い。
【００３０】
また、段差部２０はガスの誘い込み領域であり、わずかな溝があったほうがキャビティーからのガスをより取り込みやすいと考える。よって図２ではカル８，ポット連結路１６の周りに段差部２０を配置しているが、金型の端部に段差部２０を配置し、そこへ貫通孔１１を形成しても良い。また、一つの段差部２０に対して一つの貫通孔１１を設けてもよいし、一つの段差部２０に対して複数の貫通孔１１を設けてもよい。
【００３１】
また、上金型２と下金型３との当接面の外周にはシール部材として例えばゴムから成るパッキン１２が環状に設けられている。また、樹脂流路に連通する真空ポンプ１３が所定のバルブ１４や排気管１５を介して接続されている。また、各ポット７はポット連結路１６で連結されている。なお、図２では下金型３側に真空ポンプ１３，バルブ１４，排気管１５が設けられているが上金型２側に設ける場合も当然ある。さらにまた、図３に示すように上金型２と下金型３を含めた金型全体を覆う金型ベース２１を配置し、この金型ベース２１に排気管２２及び真空ポンプ２３を配置することもできる。
【００３２】
なお、図２ではポット連結路１６が金型全体のキャビティの圧力を均一にするために配置されているが、設計に応じてこの連結路１６はなくても良い。
【００３３】
またキャビティー４・・・列の端部には、Ｔの字を横にしたような形状の溝があるが、ここはダミーキャビティーであり、樹脂がこのキャビティまで押し込まれる事で未充填不良の発生を抑止したものである。
【００３４】
本発明の目的は、以下の考えによって成されたものである。つまり光に対して透明な樹脂、これはフィラーが混入されていないため、その粘度が低い。
【００３５】
その粘度の低さによって、従来ではエアベントに樹脂バリが発生した。その樹脂バリを除くためにエアベントを取り除いた。すれば、カルからダミーキャビティーまでの空間にあるガスの逃げ道が無いため、強制排気として排気管を配置した。
【００３６】
本来、この強制排気によりガスは無くなるので、樹脂がキャビティ４の中に充填されたとき、ボイドがなくなるはずである。しかしながら樹脂は、高温で加熱されているため、樹脂自体からアウトガスが発生し、これがボイドの原因として残る。これはフィラーが樹脂に混合されていない分、余計にアウトガスが発生すると思われる。
【００３７】
本発明は、このガスをどこかに逃がせばよい。しかし金型当接領域の外側の周囲には、パッキン１２が設けられてあるため、逃げ道がなく、そのため別途逃げ道として貫通孔１１が設けられている。
【００３８】
実際キャビティに高圧で樹脂が充填されているので、かりにガス溜りがあったとすると、かなり高圧で存在していると考えられる。そのガスは、キャビティ４と貫通孔１１の間に位置する上下の金型の当接面のわずかな隙間を介して、大気と連通している貫通孔１１を介して逃げていくと考えられる。また、貫通孔１１および貫通孔１１までのガスの通路は、キャビティ４内に溜まったガスよりも低圧なので、自然とガスは外へと逃げる。よってガスが貫通孔１１から放出されずに貫通孔１１に至る当接面の通路で留まっていたとしても、キャビティ４のガスは無くなるため未充填領域の発生は抑止できる。
【００３９】
また、図２では貫通孔１１が大気に通じているが、真空装置（排気管１５や真空ポンプ１３等）を貫通孔１１に直接つなげることで強制的にガスを排気しても良い。
【００４０】
また、樹脂バリの発生をよしとした場合、未充填領域の発生の抑止という観点からは図２のダミーキャビティーの後にエアベントを設けることも可能である。かかる構成によって、ダミーキャビティーに樹脂が到達するまでに発生したガスをエアベントで逃がす一方で、エアベントで逃がしきれないガス溜まりを貫通孔１１で逃がすことができる。また、かかる構成によればエアベントが樹脂で詰まったとしても貫通孔１１を介して脱気を行うことが可能である。
【００４１】
次に、上記樹脂封止装置１を用いた半導体装置の製造工程について説明する。
【００４２】
まず、被封止体としての半導体チップをリードフレーム上に固着、搭載し、それぞれの半導体チップ（不図示）が対応するキャビティ４に配置し、上金型２と下金型３とを当接して型締めする。ここで、上金型２と下金型３との間のパッキン１２が圧縮され、当接面が密閉される。
【００４３】
次に、真空ポンプ１３を作動させて当接面の樹脂流路の脱気を行い減圧状態にする。これは、空気を金型外部に排気することによって注入される樹脂への空気の巻き込みを防止してボイドの発生を防止するとともに、未充填不良を防止するためである。具体的には例えば真空圧力が約５トル（Ｔｏｒｒ）となるまで行う。また、図３で示した真空ポンプ２３によって当該脱気を行うことも可能である。かかる場合、貫通孔１１及び上述した当接面の僅かな隙間を介して脱気が行われる。下金型３，又は下金型３と上金型２の両方がヒーターによって所定の成形温度に加熱されている。なお、成形温度は樹脂によって異なり例えば約１５０℃である。
【００４４】
なお、上記の説明では上下の金型を型締め（金型クランプ）した後に脱気を行っているが、他のプロセスも可能である。具体的には、金型を完全に締める前に型締め動作（クランプ動作）を一旦停止させ、樹脂流路を含めた当接面の空間を封止部材（パッキン１２）で密閉し（金型クランプ前シールと称する）、その後真空ポンプによる脱気を行い、続いて金型の型締めを行ってもよい。ここで、型締め動作を一旦停止させるとは、完全型締めの例えば１ｍｍ程度手前で当該動作を一旦停止させることであり、このとき封止部材（パッキン１２）は上下の金型によって圧縮される。
【００４５】
このようにして、金型クランプ前に脱気を行うことで、上下の金型内や樹脂タブレット内のエアー排出が行いやすく、キャビティ４内に樹脂が流れる際の残留エアーがなくなるため、ジェッティング現象によるワイヤー流れ等の不良が発生しにくいという利点がある。以上の観点から、金型クランプ前に金型クランプ前シール及び脱気を行い、その後樹脂注入を行うことが好ましい。なお、パッキン１２は封止部材の一例であって他の部材で密閉することも可能である。
【００４６】
次に、ポット７内に樹脂タブレット６が配置され、プランジャー５の上昇によって樹脂タブレット６が押し出される。そして、当初固形であった樹脂タブレット６は金型の熱によって溶解する。この溶解した樹脂は、ポット７からカル８，ゲート９，ランナ１０を移動して各キャビティ４内に導かれる。この樹脂導入時、樹脂流路内で発生する空気（ガス）は貫通孔１１を介してキャビティの外部に排除される。また、従来のような樹脂流路と直接連通したエアベントは設けられていないため樹脂バリの発生が抑制されている。なお、樹脂の一部が樹脂流路以外の当接面の隙間を介して貫通孔１１に至ることもないため、当接面に樹脂バリが発生することもない。
【００４７】
次に、減圧状態を維持（例えば、１００秒間）する。このとき、減圧状態で沸点が降下していることもあり、樹脂の硬化反応に際して揮発成分がガスとして生成されているが、これも貫通孔１１までのわずかな隙間を介してキャビティの外部に、圧力差で吸い出される。
【００４８】
次に、真空ポンプ１３の動作解除を行い、その後樹脂が完全に硬化されるまでその状態を所定時間（例えば２１０秒間）保持する。なお、このように真空ポンプ１３の動作解除を行うのは、動作解除を行わないで樹脂が完全に硬化されるまで保持する場合に比してボイド不良防止の効果が向上するからである。どのようなメカニズムでこのボイド不良防止の効果が得られるかは不明であるが、樹脂の硬化反応で生じていた、あるいは生じている最中の樹脂の揮発成分が真空状態の解除をきっかけに貫通孔１１を介して外部に排気されていると考えられる。また真空解除で、ガスの沸点が上がり、ガスから液状に戻るのかもしれない。そのため、成形品のボイド発生は低減されている。なお、上記完全に硬化されるまでとは、金型から成形品を分離したときに樹脂の状態が保持される程に硬化している状態とする。
【００４９】
その後、上金型２と下金型３を分離し、整形済みのリードフレームを取り出し、個々の半導体チップ毎に切断し、最終的な樹脂封止型の半導体装置が完成する。
【００５０】
以上説明したように、本発明の樹脂封止装置及びそれを用いた半導体装置の製造方法では、樹脂流路とは直接的に連通せずに外部に通じる貫通孔を設けている。そして図１乃至図３で示した樹脂封止装置では、従来のような樹脂流路と外部を連通させたエアベントを設けていない。そのため、樹脂バリの発生を抑制できる。特に、樹脂バリの発生が顕著であった流動性の高い樹脂に対しても有効である。
【００５１】
また、樹脂流路を除く当接面の極僅かな隙間及び貫通孔を介して封止工程の際の脱気が可能であるため、樹脂は十分な流動性をもって各キャビティに導かれ、未充填不良が防止できる。また、樹脂流路の脱気によって樹脂ボイドの発生を防止できる。さらには、封止工程後の封止樹脂装置のクリーン作業や外観検査工程の負担の低減等が可能となり、完成した半導体装置の信頼性及び歩留まりを向上させることができる。
【００５２】
なお、本発明は上記実施形態に限定されることはなくその要旨を逸脱しない範囲で変更が可能であることは言うまでも無い。例えば、上記実施形態では上金型２に貫通孔１１が設けられていたが、下金型３に設けることもできる。
【図面の簡単な説明】
【００５３】
【図１】本発明の実施形態に係る樹脂封止装置及び半導体装置の製造方法を説明する断面図である。
【図２】本発明の実施形態に係る上金型を説明する平面図である。
【図３】本発明の実施形態に係る樹脂封止装置及び半導体装置の製造方法を説明する断面図である。
【図４】従来の樹脂封止装置及び半導体装置の製造方法を説明する断面図である。
【図５】従来の樹脂封止装置に係る上金型を説明する平面図である。
【符号の説明】
【００５４】
１  樹脂封止装置    ２  上金型    ３  下金型    ４  キャビティ    
５  プランジャー    ６  樹脂タブレット    ７  ポット    ８  ポット    
９  ゲート    １０  ランナ    １１  貫通孔    １２  パッキン    
１３  真空ポンプ    １４  バルブ    １５  排気管    １６  ポット連結路
２０  段差部    ２１  金型ベース    ２２    排気管    ２３  真空ポンプ
１００  樹脂封止装置    １０１  上金型    １０２  下金型    
１０３  キャビティ    １０４  プランジャー    １０５  樹脂タブレット
１０６  ポット    １０７  カル    １０８  ゲート    １０９  ランナ
１１０  エアベント    １１１  パッキン    １１２  ポット連結路
【図１】
2007305859.tif 000003
【図２】
2007305859.tif 000004
【図３】
2007305859.tif 000005
【図４】
2007305859.tif 000006
【図５】
2007305859.tif 000007